(57)【特許請求の範囲】
【請求項１】
送風機及び熱交換器を収納する板金製の外箱を備えた天井埋込型空気調和装置において、
前記外箱が略コ字形に曲げられた外箱本体と、この外箱本体の両端に取り付けられた一対の端板とで分割構成され、この外箱の内側に配置される断熱材が、各端板に対応して配置され、前記端板の縁部に対応する位置から外箱の内側形状に沿って延びる略コ字形状を有する一対の発泡スチロール製の端部材と、これら端部材の略コ字形状の先端部間をつなぐつなぎ部材とで分割構成され、前記端板及び前記端部材を取り付ける前に前記熱交換器を前記外箱本体の両端の一方から前記つなぎ部材の内側に組み込み可能に構成したことを特徴とする天井埋込型空気調和装置。
【発明の詳細な説明】
【０００１】
【発明の属する技術分野】
本発明は、天井に吊り下げられる板金製の外箱を備えた天井埋込型空気調和装置及びその製造方法に関する。
【０００２】
【従来の技術】
一般に、２方向カセットや４方向カセット等と呼称される天井埋込型の空気調和装置であって、送風機及び熱交換器を収納する板金製の外箱を備えた天井埋込型空気調和装置が知られている。
【０００３】
この種のものでは、近年、小型化、コンパクト化が重要課題となっており、上述した板金製の外箱内に可能な限り隙間をつめて、送風機、熱交換器等を配置するのが一般的になっている。
【０００４】
【発明が解決しようとする課題】
しかし、従来の構成では、上述した板金製の外箱があらかじめ箱形に組まれており、この外箱内に、あらかじめ箱形に組まれた、断熱性を有する内部発泡スチロールが配置され、この内部発泡スチロールの内側に、例えば略Ｕ字状に曲げられた熱交換器が隙間をつめて配置されるため、熱交換器の外面と内部発泡スチロールの内面間の隙間が小さく、内部発泡スチロール内に熱交換器を配置する作業が困難になるという問題がある。
【０００５】
そこで、本発明の目的は、上述した従来の技術が有する問題点を解消し、内部発泡スチロール内に熱交換器を簡単に配置できる、天井埋込型空気調和装置及びその製造方法を提供することにある。
【０００６】
【課題を解決するための手段】
上記目的を達成するため、請求項１記載の発明は、送風機及び熱交換器を収納する板金製の外箱を備えた天井埋込型空気調和装置において、前記外箱が略コ字形に曲げられた外箱本体と、この外箱本体の両端に取り付けられた一対の端板とで分割構成され、この外箱の内側に配置される断熱材が、各端板に対応して配置され、前記端板の縁部に対応する位置から外箱の内側形状に沿って延びる略コ字形状を有する一対の発泡スチロール製の端部材と、これら端部材の略コ字形状の先端部間をつなぐつなぎ部材とで分割構成され、前記端板及び前記端部材を取り付ける前に前記熱交換器を前記外箱本体の両端の一方から前記つなぎ部材の内側に組み込み可能に構成したことを特徴とするものである。
【０００８】
【発明の実施の形態】
以下、本発明の一実施形態を添付図面に従って説明する。
【０００９】
図１は、２つの空気吹出し口を備えた、一般的に、いわゆる２方向カセットと呼称される天井埋込型空気調和機を示している。１は箱形の室内機本体を示し、この室内機本体１には、送風機３、熱交換器５、発泡スチロール製のドレンパン７、図示を省略したドレンポンプ等の各種機器類が収納されている。
【００１０】
この室内機本体１は、被調和室の天井に複数本の吊りボルト（図示せず）を介して吊り下げられ、この室内機本体１の下側を向いた開口面には、化粧パネル９が重ね合わせて取り付けられている。
【００１１】
図２は、室内機本体１を示す分解斜視図である。
【００１２】
この室内機本体１は、板金製の外箱１１を有している。この外箱１１は、略コ字形に曲げられた外箱本体１１Ａと、この外箱本体１１Ａの両端に取り付けられた一対の端板１１Ｂとを備えて分割構成されている。この外箱１１の内側には断熱材１３が配置されている。この断熱材１３は、各端板１１Ｂに対応して配置された一対の発泡スチロール製の端部材１３Ａと、これら端部材１３Ａ間をつなぐ、例えばポリエチレン製のつなぎ部材１３Ｂとで分割構成されている。５は略Ｕ字形に形成された熱交換器、１５はドレンポンプである。
【００１３】
図３は、室内機本体１とドレンパン７とを示す分解斜視図である。
【００１４】
この室内機本体１が組み立てられた後、外箱１の開口内には、発泡スチロール製のドレンパン７が嵌合される。このドレンパン７の中央には、大きな吸込み開口７Ａが形成され、この開口７Ａの両側には、一対の細長い吹出し開口７Ｂが形成されている。すなわち、送風機３によって、吸込み開口７Ａを通じて吸い込まれた室内空気が、外箱１１の内側に配置された熱交換器５によって熱交換され、この熱交換された調和空気が、吸込み開口７Ａの両側に形成された一対の細長い吹出し開口７Ｂを通じて室内に吹き出される。
【００１５】
１７は板金製の補強金具であり、この補強金具１７は、ドレンパン７の吸込み開口７Ａの側縁部に宛われ、補強金具１７の両端が、ねじ１９を介して、外箱１１の端板１１Ｂの上縁部１１Ｃに固定されている。
【００１６】
この板金製の外箱１１は変形し、撓みやすい。そこで、外箱１１の略中央部に、外箱１１の外壁とドレンパン７の固定部間に掛け渡された、センター金具２１が設けられ、このセンター金具２１によって、外箱１１の天板１１Ｄの反り、及び外箱１１の中央部の開きが防止されている。
【００１７】
図４は、室内機本体１に送風機３を組み込む手順を示している。
【００１８】
この送風機３は、箱形に形成された板金製の仕切り板４１に固定され、この仕切り板４１は、複数本のビスを介して、室内機本体１（補強板１７）に固定されている。具体的には、この送風機３は中央部にモータ３１を配置し、このモータ３１の両側の出力軸に羽根車３２を備えて構成されている。この羽根車３２はファンケース３３によって囲われ、このファンケース３３は、上ケース３３Ａと下ケース３３Ｂとに上下２分割されている。
【００１９】
上ケース３３Ａの両側には、図４Ｂに示すように、フランジ３６が一体的に形成され、この上ケース３３Ａは、その一部３３Ｃを仕切り板４１の外に突出させて、該仕切り板４１の開口に装着され、このフランジ３６は、該フランジ３６にビスを通して仕切り板４１に固定されている。
【００２０】
この仕切り板４１は、図１に示すように、上述した外箱１１の内部を上下に仕切っており、仕切り板４１の下方には一次空間４１Ａが形成され、仕切り板４１の上方には二次空間４１Ｂが形成されている。
【００２１】
上ケース３３Ａは、フランジ３６を介して、仕切り板４１に固定されるため、仕切り板４１の強度が増大し、しかも一次空間４１Ａと二次空間４１Ｂとの間のシール性を向上させることができる。
【００２２】
上記送風機３は、空気吸込み口を仕切り板４１の下の一次空間４１Ａに臨ませ、空気吹き出し口を仕切り板４１の上の二次空間４１Ｂに臨ませ、上ケース３３Ａのフランジ３６よりも上に位置するファンケースの一部３３Ｃを仕切り板４１の上の二次空間４１Ｂに臨ませている。
【００２３】
上記構成では、図１を参照し、上ケース３３Ａのフランジ３６よりも上に位置するファンケースの一部３３Ｃを、仕切り板４１の開口を通じて、上の二次空間４１Ｂに臨ませているため、従来のように、外箱１１内に設置された仕切り板４１の下の一次空間４１Ａ内に、送風機３のファンケース３３のすべてを収容したものに比べて、その分だけ仕切り板４１の位置が低くなるため、従来とほぼ等価の風路を、外箱１１内に十分に確保した上で、当該外箱１１の高さ方向の寸法を低く抑えることができる。
【００２４】
従って、天井裏の高さが低いビル等の建物に対しても、その天井裏に簡単に設置することができる等の効果が得られる。
【００２５】
上記構成では、板金製の外箱１１内に、図３に示すように、断熱材１３を配置し、この断熱材１３の内側に、略Ｕ字状の熱交換器５を配置しているため、熱交換器５の外面５Ａと、断熱材１３の内面１３Ｃ間の隙間が小さく、一般的には、この断熱材１３の内側に熱交換器５を配置しにくい。
【００２６】
本実施形態では、断熱材１３の内側に、略Ｕ字状の熱交換器５を配置する作業手順に特徴を有する。図２に示すように、外箱１１が、略コ字形に曲げられた外箱本体１１Ａと、一対の端板１１Ｂとを備えて分割構成され、この外箱１１の内側に配置される断熱材１３が、各端板１１Ｂに対応して配置された一対の発泡スチロール製の端部材１３Ａと、これら端部材１３Ａ間をつなぐ、例えばポリエチレン製のつなぎ部材１３Ｂとを備えて分割構成されるため、第一段階では、例えば図２中右上の一つの端板１１Ｂ及び端部材１３Ａを除いた状態で、残りの外箱１１が組み立てられる。
【００２７】
第二段階では、第一段階で除かれた図２中右上の一つの端板１１Ｂ及び端部材１３Ａ側から、断熱材１３内に、略Ｕ字状の熱交換器５が挿入されて組み込まれる。最後に、図２中右上の一つの端板１１Ｂ及び端部材１３Ａが取り付けられて外箱１１が完成する。
【００２８】
上記の構成では、外箱１１及び断熱材１３が分割構成され、組み立てに当たって、図２中右上の一つの端板１１Ｂ及び端部材１３Ａ側に、熱交換器挿入用の開口が形成されるため、この開口側から熱交換器５を挿入することによって、断熱材１３の内側に、略Ｕ字状の熱交換器５を、きわめて簡単に挿入、配置することができる。
【００２９】
以上、一実施の形態に基づいて本発明を説明したが、本発明は、これに限定されるものでないことは明らかである。
【００３０】
例えば、図２中で、両側の端板１１Ｂ及び端部材１３Ａを取り付ける前に、熱交換器５を挿入し、これを挿入した後に、各端板１１Ｂ及び端部材１３Ａを取り付けてもよいことはいうまでもない。
【００３１】
【発明の効果】
本発明によれば、断熱材の内側に、熱交換器をきわめて簡単に挿入、配置することができる。
【図面の簡単な説明】
【図１】本発明による天井埋込型空気調和装置の一実施形態を示す断面図である。
【図２】空気調和機本体の分解斜視図である。
【図３】空気調和機本体とドレンパンの分解斜視図である。
【図４】空気調和機本体とドレンパンと送風機の分解斜視図である。
【符号の説明】
１  室内機本体
３  送風機
５  熱交換器
１１  外箱
１１Ａ  外箱本体
１１Ｂ  端板
１３  断熱材
１３Ａ  端部材
１３Ｂ  つなぎ部材
【図１】
0003895998.tif 000002
【図２】
0003895998.tif 000003
【図３】
0003895998.tif 000004
【図４】
0003895998.tif 000005